(57)【要約】本システム及び方法は、非直交信号間の相関の逆を復号された信号に与えることにより同じ受信器の複数のチャネルにおいて、これら非直交信号により生じる干渉を抑える。多チャネル受信器（１１０）において、この受信器は前記チャネルの各々に配分されるコード（Ｃ１，Ｃ２）を認識し、これによって、受信器に配分された複数のコード間の相関を決定するように構成されることが可能である。この相関の逆は各コードに割り当てられる相関器（１４０ａ，１４０ｂ）の出力部に与えられ、これによって、同じ受信器へ通信するために非直交コードを用いることの影響を抑える。異なる大きさのコードが同じ受信器に配分された場合、短いコードと長いコードの対応するセグメントとの相関が計算される。このセグメントに対する相関の逆が前記短いコードと前記長いコードのこのセグメントとの処理に時間的に対応させて相関器の出力部に与えられる。前記短いコードと前記長いコードの各短い長さのコードセグメントとの相関は同じようにして決められ、それの逆が前記相関器の出力部に与えられる。長い長さのコード全体に対応する出力は各短い長さのコードセグメントに対応する中間の出力を結合することにより決められる。
2004519890.tif 000002
【特許請求の範囲】
【請求項１】
−複数の情報信号を含む複合信号を入力するように構成される受信器と、
−第１の出力信号を作成するために、第１のＣＤＭＡコードに基づいて前記複合信号から第１の情報信号を復号するように構成される、前記受信器に結合された第１の相関器と、
−第２の出力信号を作成するために、第２のＣＤＭＡコードに基づいて前記複合信号から第２の情報信号を復号するように構成される、前記受信器に結合される第２の相関器と、
−前記第１の出力信号、前記第２の出力信号及び前記第１のＣＤＭＡコードと前記第２のＣＤＭＡコードとの間の相関に基づいて前記第１の情報信号及び前記第２の情報信号にそれぞれ対応する第１の出力値及び第２の出力値を決定するように構成される前記第１の相関器及び前記第２の相関器に結合される相関分離器とを有するＣＤＭＡ受信システム。
【請求項２】
少なくとも１つの他の出力値を作成するために、少なくとも１つの他のＣＤＭＡコードに基づいて、前記複合信号から少なくとも１つの他の情報信号を復号するように構成される、前記受信器及び前記相関分離器に結合された少なくとも１つの他の相関器を更に含む請求項１に記載のシステムにおいて、
前記相関分離器は前記第１の出力信号、前記第２の出力信号、前記少なくとも１つの他の出力信号及び前記第１のＣＤＭＡコードと前記第２のＣＤＭＡコードと前記少なくとも１つの他のＣＤＭＡコードとの間の相関に基づいて前記第１の情報信号、前記第２の情報信号及び前記少なくとも１つの他の情報信号にそれぞれ対応する前記第１の出力値、前記第２の出力値及び少なくとも１つの他の出力値を決定するように構成されるシステム。
【請求項３】
前記複合信号はｒと示され、前記第１のコード及び前記第２のコードはそれぞれＣ１及びＣ２と示され、前記第１の出力信号ｙ１及び前記第２の出力信号ｙ２は、
【数１】
2004519890.tif 000009
と決められ、前記相関Ｒは、
【数２】
2004519890.tif 000010
と決められ、前記第１の出力値ｚ１及び前記第２の出力値ｚ２は、
【数３】
2004519890.tif 000011
と決められる請求項１に記載のシステム。
【請求項４】
−各フィンガが異なる位相遅延に対応し、前記フィンガの位相遅延に対応する第１の中間出力値及び第２の中間出力値を供給するように各々が構成される、複数のフィンガを更に有する複数のフィンガと、
−マルチパス処理器と
を更に有する請求項１のシステムにおいて、
−前記複数のフィンガの第１のフィンガは、前記第１の出力値及び前記第２の出力値が前記第１のフィンガの前記第１の中間出力値及び前記第２の中間出力値に対応するように、前記第１の相関器、前記第２の相関器及び前記相関分離器を含み、
−前記他のフィンガの各々も他の第１の相関器、他の第２の相関器及び他の相関分離器を含み、及び
−前記マルチパス処理器は前記複数のフィンガの前記第１の中間出力値及び前記第２の中間出力値に基づいて第１の出力記号及び第２の出力記号を決める
システム。
【請求項５】
前記第１のＣＤＭＡコードと前記第２のＣＤＭＡコードとの間の前記相関は前記第１及び第２のＣＤＭＡコードの位相とは独立している請求項１に記載のシステム。
【請求項６】
前記第１のＣＤＭＡコードと前記第２のＣＤＭＡコードとの間の前記相関は前記第１の情報信号及び前記第２の情報信号とは独立している請求項１に記載のシステム。
【請求項７】
−前記第１のＣＤＭＡコードは前記第２のＣＤＭＡコードの第２の長さよりも長い第１の長さを持ち、及び
−前記第１のＣＤＭＡコードと前記第２のＣＤＭＡコードとの間の前記相関は前記第１のＣＤＭＡコードのセグメントと前記第２のＣＤＭＡコードとの相関に基づいている請求項１に記載のシステム。
【請求項８】
−前記第１の相関器は、前記第１のＣＤＭＡコードの前記セグメントに基づくセグメント化された復号体を作成するために、前記第２の長さに対応する複合信号のセグメントを復号することにより前記第１の情報信号を復号するように構成され、
−前記相関分離器は前記第１の長さに対応する前記セグメント化された復号体を組み合わせることにより前記第１の出力値を決定するように構成される
請求項７に記載のシステム。
【請求項９】
複合信号を復号する方法において、
−前記複合信号と複数のＣＤＭＡコードの各々との間の相関に対応する複数の相関出力を決定するステップ、
−前記複数のＣＤＭＡコードの各々の間の相関に対応する相関行列を決定するステップ、及び
−前記複数の相関出力と前記相関行列の逆とに基づいて、各々が前記複数のＣＤＭＡコードの各々に対応する複数の出力値を決定するステップ
を有する方法。
【請求項１０】
−複数の情報信号を含む複合信号を入力するように構成される受信器、及び
−前記複数の情報信号のうち１つの情報信号を復号するように構成された、前記受信器に結合される復号器
を有するＣＤＭＡ受信システムにおいて、
前記復号器は、各セグメントに関連する前記情報信号に対応する中間値を作成させるために、前記ＣＤＭＡコードよりも短い長さのＣＤＭＡコードのセグメントを用いて、前記情報信号のセグメントを別々に復号することにより前記情報信号を復号する
ＣＤＭＡ受信器。
【請求項１１】
複合信号から情報記号を復号する方法において、
−前記複合信号を複数のセグメントに分割するステップであり、前記複数のセグメントの各セグメントが前記情報記号よりも短い長さであるステップ、及び
−前記セグメントと、前記情報信号と同じ長さを持つＣＤＭＡコードの対応するセグメントとの間の相関に基づいて各セグメントに対応する出力値を決定するステップ
を有する方法。
【発明の詳細な説明】
【０００１】
【発明の属する技術分野】
本発明は通信分野、特にＩＳ２０００におけるマルチチャネルのハンドセットのＣＤＭＡ復号技術に関する。
【０００２】
【従来の技術】
ＣＤＭＡ（Ｃｏｄｅ Ｄｉｖｉｓｉｏｎ Ｍｕｌｔｉｐｌｅ
Ａｃｃｅｓｓ）は一般的に使用されるスペクトラム拡散通信であり、ここで情報信号は、この信号が送信される前に多くのコード列のうちの１つによって符号化される。入力された信号は本来の情報信号を復元するために同じコード列によって復号される。複数の送信機からの送信は、前記コード列が特有の独自性を持つならば、各送信機に対し異なるコード列を用いることにより共通のチャネルを介して同時に通信されることができる。許容可能なコードの独自の特徴は、入力された信号が同じコード列を用いて符号化された信号に対応している場合にのみ、コヒーレント出力が生成されることを実質的に規定している。各コードは互いに直交、すなわち相関されないので、復号するコード列と同じコード列を使用せずに符号化された信号はノイズ信号として復号される。例えばセルラーホンネットワーク等の従来のＣＤＭＡシステムにおいて、ネットワーク制御器又は基地局は要求に応じてコード列を割り当てたり、割り当ての解除を行うので、送信機の各々は他の送信機から干渉されること無く、同じネットワークを介して通信することができる。
【０００３】
従来のＣＤＭＡネットワークは、各々が同じコード列を異なる位相遅延で用いた複数の相関器を含む。理想的には送信されたコードと同期している相関器だけがコヒーレント出力を作成し、位相がずれた相関器各々は入力された信号をノイズとして復号する。しかしながら通常は、受信器が、送信される信号の建物等からの反射により生じるこの送信される信号の多数のコピーを異なる位相で入力する。これら位相差は反射された信号が送信機から受信器への間で取る異なるパスによって生じる。このマルチパス効果は、同じ送信の反射を入力する複数の相関器の出力を異なる位相で結合することにより従来のＣＤＭＡ受信によって有利に使用される。
【０００４】
【発明が解決しようとする課題】
セルラー通信の使用は飛躍的に増大してきていて、増大し続けると予想される。この増大はセルラー通信のユーザ数の増大と、ユーザ毎に必要とされる通信量の増大とに関連する。
【０００５】
この増大するセルラー通信の使用に伴い、異なるコードに対する要件は増大している。約１９９５年頃に普通に使用されていたＩＳ−９５規格は、６４ビットの直交するウォルシュコード（Ｗａｌｓｈ
ｃｏｄｅ）の使用を必要とする一方、約２０００年頃の新しいＩＳ２０００規格は異なる長さのウォルシュコード及びＱＯＦ（Ｑｕａｓｉ
Ｏｒｔｈｏｇｏｎａｌ Ｆｕｎｃｔｉｏｎ）コードの両方を使用することを可能にしている。異なる長さのコードと、他のコード全てと必ずしも完全に直交しているわけではないコードとを使用することはＣＣＩ（Ｃｒｏｓｓ
Ｃｈａｎｎｅｌ Ｉｎｔｅｒｆｅｒｅｎｃｅ）の増大となっている。非直交コードを使用することにより生じる干渉に加え、短いコードが例えば長いコードの特定のセグメントと非直交となり得るので、干渉が異なる長さのコード間にも起こり得る。
【０００６】
ユーザ毎の通信に対し増大する要件は、ユーザハンドセット毎の多数のチャネルに対する要件を含んでいる。例えば、音声チャネル及びデータチャネルを介する同時通信を提供するハンドセットが利用可能である。従来のマルチチャネルハンドセットは、多数の相関器を含み、これら相関器の各々は前記チャネルのうちの１つと関連するコードを用いて動作される。例えば、例示的な２チャネル受信器は６個の相関器を含み、そのうちの３つの相関器は（マルチパス受信に対し）互いに異なる位相で１つのコードを用いて働き、残りの３つの相関器は互いに異なる位相で他のコードを用いて働く。
【０００７】
非直交コードの使用はマルチパスの効果又は効果の利用を抑えるように複数の相関器を使用する受信器に対する逆効果も有する。相関器が僅かな相関を検出する場合、この相関は所望する信号の反射の結果であってもよく、これによってその結果を他の相関器からの結果と組み合わせることが有益である。しかしながら、前記相関が他の非直交なチャネルの送信の結果である場合、その結果を他の相関器からの結果と組み合わせることが不利益となるであろう。
【０００８】
増大する非直交コードの使用により生じる干渉を抑えるための様々な技術は基地局において使用するのに利用可能である。Ｂｏｔｔｏｍｌｅｙ他の出願人により１９９６年４月９日発行され、ここで参照することにより包含される米国特許番号第５，５０６，８６１号”ＳＹＳＴＥＭ ＡＮＤ ＭＥＴＨＯＤ
ＦＯＲ ＪＯＩＮＴ ＤＥＭＯＤＵＬＡＴＩＯＮ ＯＦ ＣＤＭＡ ＳＩＧＮＡＬＳ”は、符号間干渉を考慮する又はすることなくマルチパスの時間分散環境（ｔｉｍｅ−ｄｉｓｐｅｒｓｉｏｎ ｅｎｖｉｒｏｎｍｅｎｔ）における単一及び多数の信号を復調する手法を示している。この手法はチャネルの総量に基づく誤差関数を最小にすることにより複数のチャネルの各々における各ビット値又は記号値を決定する。最小化手順は各チャネル内にあるフィルタ係数の動的調整も含む。しかしながら、この手法の複雑さはハンドセットにおける実施を不可能にさせ、この手法は変化する大きさのコードを直接アドレッシングしない。
【０００９】
【課題を解決するための手段】
本発明の目的は非直交チャネルの干渉の影響を減少させるマルチチャネルハンドセットにおいて使用する受信システム及び方法を提供することである。本発明の他の目的はマルチチャネル環境において異なる大きさのＣＤＭＡコードの処理を容易にする受信システム及び方法を提供することである。
【００１０】
これらの目的及びその他の目的は、同じ受信器の複数のチャネルにおける非直交信号により生じる干渉を抑えるシステム及び方法を提供することにより達成される。一般的に、特定のハンドセットは他のハンドセットの送信に気付かず、これによってこれらの送信の逆効果を効果的に抑えることができない。しかしながら、マルチチャネル受信器において、この受信器はチャネルの各々に割り当てられるコードに気付いているので、これによって複数のチャネルの非直交送信により生じる干渉の影響を抑えるように構成されることができる。受信器に割り当てられる複数のコード間の相関が計算され、この相関の逆が各コードに割り当てられた相関器の出力に与えられ、これによって同じ受信器へ送信するための非直交コードを使用する影響を抑える。異なるサイズのコードが同じ受信器に割り当てられた場合、短いコードと長いコードの対応するセグメントとの相関が計算される。このセグメントに対する相関の逆は、短いコード及び長いコードのこのセグメントの処理に時間で対応する相関の出力に与えられる。前記短いコードと長いコードの各短い長さのコードのセグメントとの相関は同じようにして決められ、それの逆は相関器の出力に与えられる。長い長さのコード全体に対応する出力は各短い長さのコードセグメントに対応する中間値を組み合わせることにより決められる。
【００１１】
【発明の実施の形態】
本発明は、添付される図を参照して、例として更に詳細に説明される。
【００１２】
参照及び理解し易いように、本発明は２チャネルのＣＤＭＡハンドセットの例を用いて示されているが、本開示を考慮して当業者の一人には明白であるように、本発明の原理は２チャネルよりも多くの又はハンドセット以外のＣＤＭＡシステムにも同等に応用可能である。
【００１３】
図１は、例示的なマルチチャネル（２チャネル）のＣＤＭＡハンドセット１００の例示的なブロック図を示す。受信器１１０の出力部において、入力信号は、
【数４】
2004519890.tif 000003
と表される。ここでＸｃはコードチャネルｃの送信情報記号であり、ｗｉは通信パスｉに関連する重み付けすなわち減衰であり、Ｃｃはチャネルコードｃである。使用される個別の符号化方式に依存して、記号Ｘはバイナリの１ビット値又はＭ−ｒａｙのマルチビット値でもよく、記号と呼ばれる。前記コードが全部の送信情報記号に与えられるので、このコードは下線で示されるようなベクトルＣと表される。理解し易いように、コードの長さは等しいと仮定する。異なる長さのコードを処理するための技術も以下に示される。
【００１４】
入力信号は複数の復号器パス、すなわち“フィンガ（ｆｉｎｇｅｒ）”に与えられ、これらパスの各々は異なる位相遅延１２０を持っている。各パスｉ内において、フィルタ１３０はチャネル重み付け及び他の因子の影響を補償し、このフィルタリングされた信号は、前記送信情報記号Ｘ１及びＸ２に対応する記号ｙｉ，１及びｙｉ，２を復号するための相関器（ｃｏｒｒｅｌａｔｏｒ）１４０ａ、１４０ｂに与えられる。様々な非同期のハンドセットから複数の送信を入力する従来の基地局と比べ、同じユーザの複数のチャネル信号Ｘ１及びＸ２は互いに非同期であることに注意されたい。従って、送信信号のチャネルコードの１つと同期している、すなわち送信信号のマルチパスの反射のコードの１つと同期しているフィンガは他のチャネルコードの各々とも同期している。この同期は上記項Ｃ１及びＣ２の各々及びその後の等式の対応により示される。
【００１５】
一般性を失うこと無く、フィルタ１３０の出力部におけるフィルタリングされた入力信号は、チャネル重み付けを補償した後、
ｒｉ＝Ｘ１Ｃ１（ｔ−τｉ）＋Ｘ２Ｃ２（ｔ−τｉ）＋ｎ  （送信信号パルスノイズ）のように示される。ここで、マルチパス及び他の信号の影響並びにノイズ因子は、これらが特定のフィンガに対する全てのノイズ要素であるために、ノイズフィンガｎに含まれる。
【００１６】
位相ｉにおける相関器１４０からの出力ｙは、
ｙｉ，１＝（Ｘ１Ｃ１（ｔ−τｉ）＋Ｘ２Ｃ２（ｔ−τｉ）＋ｎ）・Ｃ１
ｙｉ，２＝（Ｘ１Ｃ１（ｔ−τｉ）＋Ｘ２Ｃ２（ｔ−τｉ）＋ｎ）・Ｃ２
以下のように示される。ここで・は内積である。マルチパスの復号システムにおいて、各フィンガからの出力ｙはマルチパス処理器１６０によって結合され、送信記号Ｘ１及びＸ２に対応する記号値Ｓ１及びＳ２の決定は、当業者には一般的である平均化及び他の技術を用いる出力ｙｉ，１及びｙｉ，２の複合に基づいている。単一のフィンガが用いられる、又はマルチパス信号が検出されない場合、出力記号Ｓ１及びＳ２は単一のフィンガ出力ｙに基づいている。
【００１７】
相関器１４０が基準位相と同位相である場合、直接又はマルチパスを介して相関器１４０の出力は
ｙ１＝Ｘ１＋Ｘ２（Ｃ２・Ｃ１）＋ｎ・Ｃ１
ｙ２＝Ｘ１（Ｃ１・Ｃ２）＋Ｘ２＋ｎ・Ｃ２
と示される。
【００１８】
前記２つのコードＣ１及びＣ２が直交している場合、これら２つのコードの内積は零となる。従って、ＣＤＭＡコードと相関するノイズが無く、且つこれら２つのコードが直交している場合、出力ｙは送信記号Ｘに対応する。
【００１９】
従来のＣＤＭＡ受信器において、前記信号ｙに対応する記号値は、この値ｙを異なる記号値に対応する値の範囲と比較することにより決められる。バイナリ信号の場合、符号化は典型的に論理ハイ及び論理ローの値に対応する＋／−１である。従って、従来のシステムにおいて、相関器１４０の出力ｙが正である場合、論理ハイが送信信号Ｘに対応する決められたバイナリ値として伝えられ、この出力ｙが負である場合、論理ローが伝えられる。
【００２０】
非直交コードが用いられる場合、前記コードＣ１及びＣ２の内積は零にはならず、各出力ｙ１及びｙ２は代わりのチャネルにそれぞれ入力される信号Ｘ２及びＸ１によって悪影響を及ぼす。追加のチャネルが供給され、非直角のコードが用いられる場合、これらチャネル間の干渉により生じる悪影響は、前記コード間の非零相関（ｎｏｎ ｚｅｒｏ ｃｏｒｒｅｌａｔｉｏｎ）のために増大する。
【００２１】
本発明によれば、非直交コードを用いることによって生じる悪影響を抑える相関分離器（ｄｅｃｏｒｒｅｌａｔｏｒ）１５０が設けられている。前記２つのコード間の相関は、
【数５】
2004519890.tif 000004
と示されることができる。コードＣ１及びＣ２はマルチチャネル受信器に知られているので、この相関及びその逆はこの複数のチャネル受信器において決めることができるのに注意されたい。前記コードは互いに同期しているので、相関項は位相と独立している。この決定可能な相関の逆は、信号ｚの相関分離された組を作成するために非直交コードの影響を抑えるように相関分離器１５０において用いられ、これは
【数６】
2004519890.tif 000005
である。信号ｚ１及びｚ２の各々は送信記号Ｘ１及びＸ２にそれぞれ対応する記号値を決めるために、本発明に従って使用される。これは、例えば送信信号がバイナリの＋／−値である場合、送信記号Ｘに対応する論理値は信号ｚの符号により決められる。マルチパス復号システムにおいて、各フィンガからの出力ｚは結合され、前記記号値の決定は、従来のマルチパス復号技術を用いた前記出力の複合に基づいている。
【００２２】
上記等式により示されるように、コードＣ１及びＣ２の間の相関の逆を与えることによって、非直交コードＣ１及びＣ２を用いることにより生じる影響が抑えられる。これらコードが実際に直交している場合、コード間の相関は零となり、それの逆は１（ｕｎｉｔｙ）であり、相関分離操作は何も影響を受けない。上記等式によっても示されるように、相関行列及びそれの逆行列は位相に依存せず、受信記号の値にも依存していない。従って前記コードが最初に割り当てられるときに計算されてもよく、その後、複数のチャネルにおいて入力される通信の間に用いられてもよい。この相関分離処理の応用は従来決められる信号ｙに対する強調であるため、Ｒの逆関数に対するユニティー値（ｕｎｉｔｙ
ｖａｌｕｅ）は相関分離器１５０において与えられてよい一方、その逆が計算され、それによってこの逆を決めるのに使用される処理器が比較的遅い場合、通信時の如何なる遅延も避ける。
【００２３】
図２は本発明による異なる長さのコードの処理に対応するタイミング図を示す。本実施例において、第１のコードＣ１は、第２のコードＣ２の４倍の長さである。この第１のコードＣ１によって符号化される入力記号Ｘ１は対応して第２のコードＣ２によって符号化される入力記号Ｘ２の４倍の長さである。つまり、４つの記号Ｘ２は各記号Ｘ１に対し通信されている。図２において、各順次的な記号ＸはＸ（１）、Ｘ（２）、Ｘ（３）等と識別される。記号Ｘ（１）１の期間中、４つの短い記号Ｘ（１）２、Ｘ（２）２、Ｘ（３）２及びＸ（４）２が起こる。第１のチャネルにおける次の信号Ｘ（２）１が始まるとき、５番目の短い記号Ｘ（５）２が始まる。長いコードＣ１は、４つのセグメントＣ１［１］Ｃ１［２］Ｃ１［３］及びＣ１［４］として示され、各セグメントは短いコードＣ２と同じ長さである。
【００２４】
本発明によれば、信号値ｙは短いコードＣ２に対応する各区間ｊ，ｊ＝１，４において作成され、これは
【数７】
2004519890.tif 000006
である。前記コード間の相関は、
【数８】
2004519890.tif 000007
と示される。つまり、各セグメントにおける相関は短いコードと長いコードの各々対応するセグメントとの間の相関として規定される。このセグメント特定相関は短いコードの非直交性の影響を抑えるのに使用され、相関分離器１５０における長いコードのセグメントは、
【数９】
2004519890.tif 000008
である。
【００２５】
各間隔（ｚ（１）２，ｚ（２）２，ｚ（３）２，ｚ（４）２，ｚ（５）２等）における出力値ｚ２は、異なる入力信号Ｘ２（Ｘ（１）２，Ｘ（２）２，Ｘ（３）２，Ｘ（４）２，Ｘ（５）２等）に対応している。コードＣ１は、４つの時間間隔ｊにまたがって延在するので、これら４つの出力値ｚ１［ｊ］の各々は４つのセグメント拡張入力信号Ｘ１に対応する出力信号ｚ１のセグメントを形成する。つまり、ｚ（１）１［ｊ，ｊ＝１，４］はＸ（１）１に対応し、ｚ（２）１［ｊ，ｊ＝１，４］はＸ（２）１に対応する等である。出力ｚ１の４つのセグメントの各々が同じ入力値Ｘ１に対応するので、どの出力値ｚ１［ｊ］も対応する入力信号Ｘ１を決定するのに用いられることができることに注意されたい。本発明によれば、入力信号Ｘ１の決定はコードＣ１の各セグメントに対応する個々の出力値ｚ１［ｊ］の複合物に基づいている。バイナリの場合、例えば前記値ｚ１［ｊ］の合計の符号が出力記号を決めるのに使用されてもよい。Ｍ−ａｒｙ符号化において、前記値ｚ１［ｊ］の平均が使用されてもよい。代わりに、各出力セグメントｚ１［ｊ］が記号を供給するのに使用されてもよく、投票方式は入力記号Ｘ１に対応するセグメントの複合物を選択するのに使用される。マルチパスの復号システムにおいて、各フィンガからの複合出力ｚはマルチパス処理器１６０を介して結合され、記号値の決定は、例えば重み付けされた平均のような従来のマルチパスの復号技術を用いたこれらの出力の複合に基づいている。
【００２６】
情報信号の対応するセグメントを復号するために長いコードのセグメントを使用することが短いコードと各セグメントとの間の相関の影響を抑えるように相関分離器１４０の使用状況において示されたとしても、この技術は相関分離器１４０とは独立して与えられてもよい。これは例えばメモリの必要性を減少させる又は短いコードに対し構成される設計を再利用することであり、長いコードは上述されるセグメント化された復号技術を介して処理されることができる。同様に、セグメントの大きさはコードの長さを抑制するのには必要無い。好ましくは、セグメントは２つの情報記号間の境界を越えて延在するべきではなく、これは長いコード各々の公倍数である長さのセグメントを選択することにより達成されることが可能である。
【００２７】
上述したことは単に本発明の原理を説明したものである。ここで明白に説明又は示されなくても、当業者は本発明の原理を具現化し、本発明の意図及び範囲内にある様々な装置を考案することが可能なことは明白である。例えば、特定の遅延ブロック１２０が説明されたとしても、ビットからなる入力ストリームが連続するシフトレジスタに含まれてもよく、異なるフィンガが前記シフトレジスタの異なるセグメントから前記ビットを単に抽出するように構成される。同じようにして、マルチパス信号を処理するための多数のフィンガリングされた実施例が説明されたとしても、単一のフィンガリングされた実施例が使用されてもよい。これら及び他のシステム構成及び最適化特性はこの開示を考慮して普通の当業者に明らかであり、特許請求の範囲内に含まれる。
【００２８】
請求項９による相関行列Ｒは複数のＣＤＭＡコードＣ１、Ｃ２の位相と有利に独立している。
【００２９】
請求項９による相関行列Ｒは複合信号と有利に独立している。
【００３０】
請求項１０のシステム１００の復号器１４０ａは、各セグメントに対応する中間値ｙ１［ｊ］の複合物を形成し、情報信号Ｘ１に対応する出力値ｚ１を供給するように有利に構成される。
【００３１】
請求項１０のシステム１００は、少なくとも１つの他のＣＤＭＡコードＣ２を用いて少なくとも１つの他の情報信号Ｘ２を復号するように構成される少なくとも１つの他の復号器を有利に含む。
【００３２】
請求項１０のシステムの少なくとも１つの他のＣＤＭＡコードＣ２は、ＣＤＭＡコードＣ１のセグメントＣ１［ｊ］に対応する長さを有利に有する。
【００３３】
請求項１０のシステム１００は、中間値ｙ１［ｊ］に基づく出力値ｚ１を供給するように構成される相関分離器１５０、少なくとも１つの他の復号器１４０ｂの各出力ｙ２及び第１のＣＤＭＡコードＣ１の対応するセグメントと少なくとも１つの他のＣＤＭＡコードＣ２の各々との間の相関Ｒを有利に含んでいる。
【００３４】
請求項１１の方法はさらに、情報記号Ｘ１に対応する出力符号Ｓ１を決めるために、各セグメントの出力値ｚ１［ｊ］の複合物を有利に形成するステップを含む。
【００３５】
請求項１１の方法はさらに、他のＣＤＭＡコードＣ２に基づく複合信号から外部出力値を決定するステップ、及びＣＤＭＡコードＣ１と他のＣＤＭＡコードＣ２との間の相関の逆に基づいて前記出力値ｚ１及び他の出力値ｚ２を修正するステップを有利に含む。
【図面の簡単な説明】
【図１】本発明によるマルチチャネルＣＤＭＡハンドセットの例示的なブロック図を説明する。
【図２】本発明による異なる長さのコードの処理に対応するタイミング図を説明する。
【国際公開パンフレット】
2004519890.tif 000012
2004519890.tif 000013
2004519890.tif 000014
2004519890.tif 000015
2004519890.tif 000016
2004519890.tif 000017
2004519890.tif 000018
2004519890.tif 000019
2004519890.tif 000020
2004519890.tif 000021
2004519890.tif 000022
2004519890.tif 000023
2004519890.tif 000024
2004519890.tif 000025
2004519890.tif 000026
2004519890.tif 000027
【国際調査報告】
2004519890.tif 000028
2004519890.tif 000029
2004519890.tif 000030
2004519890.tif 000031